(57)【要約】【課題】パネルの機器本体へ容易に取り付けられるとともに隙間から機器本体の端子近傍を十分に隠すことができる電子機器を提供すること。【解決手段】端子３Ａ〜３Ｅを突出して設けた機器本体１にパネル２が設けられ、このパネル２は端子３Ａから３Ｅを挿通する挿通孔２２１Ａ〜２２１Ｅが形成され、機器本体１の端子３Ａ〜３Ｅと係止されるカバー２２と、このカバー２２の周縁部を覆うとともに端子３Ａ〜３Ｅを露出させる窓部７が形成されたパネル本体２１とに分割した。【選択図】    図１
2006120704.tif 000002
【特許請求の範囲】
【請求項１】
端子が突出して設けられた機器本体に対してパネルが設けられた電子機器であって、
前記パネルは、前記端子を挿通する挿通孔が形成され、前記機器本体と係止されるカバーと、このカバーの周縁部を覆うとともに前記端子を露出させる窓部が形成されたパネル本体とに分割して構成された、
ことを特徴とした電子機器。
【請求項２】
請求項１に記載された電子機器において、
前記カバーには、前記パネル本体に向けて突出する突起部が設けられている、
ことを特徴とした電子機器。
【請求項３】
請求項２に記載された電子機器において、
前記端子は複数個配列され、前記窓部は長手方向が前記端子の配列方向に沿った略長円状に形成され、前記突起部は、前記窓部の長手方向の周縁部に沿って直線状に係合される、
ことを特徴とした電子機器。
【請求項４】
請求項１から３のいずれかに記載された電子機器において、
前記機器本体は前記端子の基端部分を覆うとともに正面に前記カバーが取り付けられる箱部材を備え、前記カバーは前記正面と対向するカバー本体と、このカバー本体から折り曲げて形成され先端に係止用爪を有する係止片とを備え、前記箱部材は前記係止片を案内する開口部と、前記係止用爪を係止する係止窓とが形成された、
ことを特徴とした電子機器。
【請求項５】
請求項４に記載された電子機器において、
前記係止片は前記カバー本体の互いに対向する両端縁からそれぞれ設けられている、
ことを特徴とした電子機器。
【発明の詳細な説明】
【技術分野】
【０００１】
本発明は機器本体にパネルが設けられた電子機器に関する。
【背景技術】
【０００２】
ＤＶＤ（Digital Versatile Disc）を用いた装置、ビデオデッキ、ゲーム機器、その他の電子機器においては、操作上必要なボタン、スイッチ等の部品や、電源又は他の機器との接続に必要な複数の端子が機器本体の操作面側から突出して設けられており、この機器本体の操作面側の全面がパネルで覆われている。
機器本体の端子の近傍では端子取付跡等が露出するため、パネルは、端子近傍も覆うようにされている。
【０００３】
従来のパネルは、複数の端子をそれぞれ挿通する孔部が端子配列方向に沿って形成されている（特許文献１）。
この電子機器では、予め機器本体に取り付けられた端子を孔部に挿通させながらパネルを機器本体に取り付ける。
【０００４】
【特許文献１】特開平６−７６８８５号公報（図１参照）
【発明の開示】
【発明が解決しようとする課題】
【０００５】
前述の通り、パネルを機器本体に取り付けるにあたり、複数の端子をパネルに形成された複数の孔部にそれぞれ挿通させなければならない。パネルを機器本体へ容易に取り付けることを考慮すると、端子と孔部との隙間を必然的に大きくしなければならない。
しかし、端子と孔部との隙間が大きいと、その隙間から機器本体の端子近傍が露出することになり、外観が損なわれる。
【０００６】
本発明の目的は、パネルの機器本体へ容易に取り付けられるとともに隙間から機器本体の端子近傍を十分に隠すことができる電子機器を提供しようとするものである。
【課題を解決するための手段】
【０００７】
請求項１に記載の発明は、端子が突出して設けられた機器本体に対してパネルが設けられた電子機器であって、前記パネルは、前記端子を挿通する挿通孔が形成され、前記機器本体と係止されるカバーと、このカバーの周縁部を覆うとともに前記端子を露出させる窓部が形成された前記パネル本体とに分割して構成された、ことを特徴とした電子機器である。
【発明を実施するための最良の形態】
【０００８】
以下、本発明の一実施形態を図面に基づいて説明する。
図１は本実施形態にかかる電子機器の要部を示す分解斜視図である。
図１において、電子機器は、ＤＶＤ装置であって、機器本体１と、この機器本体１の操作面側に設けられたパネル２とを備えて構成されている。
【０００９】
機器本体１は、複数（図では５個）の端子３Ａ〜３Ｅが突出して設けられたシャーシ１１と、このシャーシ１１の端子３Ａ〜３Ｅの基端部分を覆う箱部材１２とを備えている。
シャーシ１１は、その内部に図示しない電子部品を収納するものであって、板金により成形されている。
箱部材１２は、平面矩形状の正面部１２１と、この正面部１２１の各辺から折り曲げて形成された側面部１２２と、この側面部１２２から折り曲げて形成されシャーシ１１に取り付けられる取付部１２３とから形成されている。正面部１２１から露出された端子３Ａ〜３Ｅは横方向に一列に並んで配置されている。
【００１０】
パネル２はパネル本体２１とカバー２２とに分割して構成されている。パネル本体２１は、カバー２２の周縁部及び機器本体１の端子３Ａ〜３Ｅの近傍以外を覆うものであって、第１のパネル構成部品２１１と、この第１のパネル構成部品２１１より上方に配置された第２のパネル構成部品２１２とに分割されて構成されている。
第１のパネル構成部品２１１は、正面部２１１Ａと、この正面部２１１Ａの左右両側端にそれぞれ設けられた壁部２１１Ｂと、正面部２１１Ａの下部に設けられた底面部２１１Ｃと、正面部２１１Ａの上部に設けられた頂部２１１Ｄと（図３参照）が合成樹脂により一体に成形された構造である。
正面部２１１Ａには、電子機器を操作するためのスイッチ４及びボタン５と、図示しない光ディスクを挿入するためのスロット６と、端子３Ａ〜３Ｅを露出させるための平面略長円形の窓部７と、平面矩形状の表示窓８とがそれぞれ形成されている。
壁部２１１Ｂの上端面は水平方向に延びた平面とされる。
【００１１】
第２のパネル構成部品２１２は、表示窓８と干渉しないように中央部が切り欠かれて形成された正面部２１２Ａと、この正面部２１２Ａの左右両側端にそれぞれ設けられた壁部２１２Ｂと、正面部２１２Ａの上面に設けられた頂部２１２Ｃと、正面部２１２Ａの裏面から突出するとともに壁部２１１Ｂから所定寸法離れて設けられた上下２枚の背面板部２１２Ｄと（図３参照）、が合成樹脂により一体に成形された構造である。
壁部２１２Ｂの下端面は水平方向に延びた平面であって、壁部２１１Ｂの上端面と平行に形成されている。
【００１２】
カバー２２は、箱部材１２の正面部１２１と対向するカバー本体２２１と、このカバー本体２２１から折り曲げて形成された係止片２２２とが合成樹脂から一体に成形された構造である。
カバー本体２２１はシャーシ１１の端子３Ａ〜３Ｅの近傍を覆う平面略長円状の平板部材であり、端子３Ａ〜３Ｅをそれぞれ挿通する挿通孔２２１Ａ〜２２１Ｅが左右に並んで形成されている。これらの挿通孔２２１Ａ〜２２１Ｅは、それを挿通する端子３Ａ〜３Ｅの正面形状に倣った形状とされており、端子３Ａ〜３Ｅの外周面との寸法が短くされている。
【００１３】
カバー本体２２１の正面には、第１のパネル構成部品２１１の窓部７側に向けて突出する突起部２２１Ｆが設けられている。本実施形態においては、この突起部２２１Ｆは挿通孔２２１Ａ〜２２１Ｅの上下にそれぞれ直線状に設けられている。なお、突起部２２１Ｆは、静電気が窓部７と樹脂製のカバー２２の隙間から機器内部の金属部分へ到達することを防止するために設けられるものである。
係止片２２２はカバー本体２２１の上下端縁の２カ所ずつ合計４カ所に設けられており、それぞれ先端に係止用爪２２２Ａを有する（図１では２カ所のみ示す）。
【００１４】
図２には機器本体１とパネル２との取付構造の詳細が示されている。図２（Ａ）は分解断面図、図２（Ｂ）は断面図である。
図２において、窓部７は、第１のパネル構成部品２１１の機器本体１に向けて延びた筒状部２１１Ｅの内部空間から構成されており、この筒状部２１１Ｅの外周縁に突起部２２１Ｆが係合される。
箱部材１２は、その正面部１２１の上下部に係止片２２２を案内する開口部１２Ａが形成され、その側面部１２２の略中央部に係止用爪２２２Ａを係止する係止窓１２Ｂが形成されている。係止片２２２は、開口部１２Ａから箱部材１２の内部に挿入されると、その弾性力に抗して撓み、係止用爪２２２Ａが係止窓１２Ｂの位置に到達すると、その弾性力により係止用爪２２２Ａが係止窓１２Ｂに係合される。
【００１５】
図３から図６には第１のパネル構成部品２１１と第２のパネル構成部品２１２との接合構造が示されている。
図３は第１のパネル構成部品２１１と第２のパネル構成部品２１２とが接合された状態を示すもので、図３（Ａ）は斜視図、図３（Ｂ）は断面図である。
図３において、本実施形態では、第１のパネル構成部品２１１が第１部品であり、第２のパネル構成部品２１２が第２部品である。
図３（Ａ）に示される通り、第１のパネル構成部品２１１の頂部２１１Ｄには第１取付部５１と第２取付部５２とが形成されており、これらの第１取付部５１と第２取付部５２との間にはガイド用突起５３が設けられている。
第２のパネル構成部品２１２の上方の背面板部２１２Ｄには第１取付部６１と第２取付部６２が形成されている。これらの第１取付部６１と第２取付部６２との間にはガイド用突起５３が案内されるガイド溝６３が形成されている。
【００１６】
図３（Ｂ）に示される通り、第１のパネル構成部品２１１と第２のパネル構成部品２１２とは第１取付部５１，６１の互いに対向する対向面５１Ａ，６１Ａの一端側（正面側）で係止されており、対向面５１Ａ，６１Ａの他端側（背面側）で取付具であるボルト９を介して互いに取り付けられている。ボルト９は第２のパネル構成部品２１２の第１取付部６１に形成されたボルト孔９２に挿通されるとともに第１のパネル構成部品２１１の第１取付部５１に形成されたボルト孔９１に螺合される。
第１のパネル構成部品２１１の第１取付部５１は、対向面５１Ａのボルト９の近傍に一端側から他端側にかけて（図３（Ｂ）中、左から右にかけて）厚み寸法が大きくなるテーパ面５１Ｂとされる。
第２パネル構成部品２１２の第１取付部６１の対向面６１Ａは壁部２１２Ｂの下端面と略平行な平面状とされている。そのため、図４に示される通り、ボルト９を第１取付部５１，６１にねじ込むと、第１パネル構成部品２１１の第１取付部６１が第２パネル構成部品２１２の第１取付部６１に形成されたテーパ面５１Ｂに沿って撓むことになり、パネル本体２１の正面側において第２のパネル構成部品２１２が第１のパネル構成部品２１１に近接することになる（想像線参照）。
【００１７】
第１パネル構成部品２１１の第２取付部５２は略三角状の突起であり、第２パネル構成部品２１２の第２取付部６２は第２取付部５２の突起に凹凸嵌合する平面矩形状の開口部である。
第１取付部５１の一端側（正面側）には折返部５１Ｃが形成され、この折返部５１Ｃは平面状の対向面５１Ａと略平行に形成されたガイド面５１Ｄと、このガイド面５１Ｄと連続して形成された突起状の第１係止部５１Ｅとが形成された先端部５１Ｆを備えている。
第２のパネル構成部品２１２の下方の背面板部２１２Ｄにはガイド面５１Ｄに案内される突起部６４が形成され、この突起部６４には第１係止部５１Ｅと凹凸嵌合する孔状の第２係止部６４Ａが形成されている。そのため、第２パネル構成部品２１２を第１パネル構成部品２１１に対して押し込むと、第１係止部５１Ｅと第２係止部６４Ａとが嵌合され、かつ、第２取付部５２，６２同士が嵌合される。
【００１８】
この構成の電子機器を組み立てるには、まず、図５に示される通り、第２のパネル構成部品２１２を第１のパネル構成部品２１１に対して矢印Ｐ方向に沿って押し込む。すると、図６に示される通り、第１のパネル構成部品２１１の第１係止部５１Ｅと第２のパネル構成部品２１２の第２係止部６４Ａとが凹凸嵌合されるとともに、両パネル構成部品２１１，２１２の第２取付部５２，６２同士が凹凸嵌合される。
【００１９】
その後、図３に示される通り、ボルト９を、第１取付部６１のボルト孔９２に挿通するとともに第１取付部５１のボルト孔９１にねじ込む。このねじ込み量を多くすることで、第２のパネル構成部品２１２と第１のパネル構成部品２１１との対向面５１Ａ，６１Ａが他端側から一端側にかけて近接することになり（図４の想像線参照）、第２のパネル構成部品２１２は、その壁部２１２Ｂが第１のパネル構成部材２１１の壁部２１１Ｂとの間の隙間が小さくなる方向に常に付勢されながら第１のパネル構成部品２１１に固定される。
さらに、予め組み立てられた機器本体１の箱部材１２の正面にカバー２２を装着し、その後、第１のパネル構成部品２１１と第２のパネル構成部品２１２とを接合して形成されたパネル本体２１を機器本体１に装着する。
【００２０】
〔電子機器の作用効果〕
前述のような電子機器では次の作用効果を得ることができる。
（１）複数の端子３Ａ〜３Ｅをそれぞれ突出して設けた機器本体１にパネル２が設けられ、このパネル２は端子３Ａから３Ｅを挿通する挿通孔２２１Ａ〜２２１Ｅが形成され機器本体１と係止されるカバー２２と、このカバー２２の周縁部を覆うとともに端子３Ａ〜３Ｅを露出させる窓部７が形成されたパネル本体２１とに分割したから、パネル２を機器本体１に取り付けるにあたり、まず、機器本体１の端子３Ａ〜３Ｅの近傍を小型化薄型化が可能なカバー２２で直接位置決めして覆い、その後、このカバー２２を含めて機器本体１の全体をパネル本体２１で覆うようにしたので、端子３Ａ〜３Ｅを挿通孔２２１Ａ〜２２１Ｅに挿通させるためにパネル全体を位置決めする従来に比べて、その取付作業を容易に行うことができる。その上、カバー２２と機器本体１との位置決めを容易に行えるから、端子３Ａ〜３Ｅと孔部２２１Ａ〜２２１Ｅとの隙間を小さくすることができるので、この隙間から機器本体１が露出することが少ないので、電子機器の外観を良好なものにできる。
【００２１】
（２）カバー２２はパネル本体２１に向けて突出する静電気飛び込み防止用の突起部２２１Ｆを備えているので、装置の外部から内部に静電気が侵入することを阻止することができる。
【００２２】
（３）端子３Ａ〜３Ｅは複数が直線状に配列され、窓部７は長手方向が端子配列方向に沿った略長円状に形成され、突起部２２１Ｆは窓部７の長手方向の周縁部に沿って直線状に係合されるから、端子３Ａ〜３Ｅの配列方向が窓部７の長手方向と一致することで、この点からも電子機器の外観を良好なものにできる。
【００２３】
（４）機器本体１は端子３Ａ〜３Ｅの基端部分を覆うとともに正面にカバー２２が取り付けられる箱部材１２を備え、カバー２２は正面と対向するカバー本体２２１と、このカバー本体２２１から折り曲げて形成され先端に係止用爪２２２Ａを有する係止片２２２とを備えている。そして、箱部材１２は係止片２２２を案内する開口部１２Ａと、係止用爪２２２Ａを係止する係止窓１２Ｂとが形成されている。そのため、
【００２４】
（５）係止片２２２はカバー本体２２１の互いに対向する両端縁からそれぞれ設けられているから、カバー本体２２２の箱部材１２への取り付けを安定して行うことができる。
【００２５】
（６）第２のパネル構成部品２１２は、対向面６１Ａが略平面状に形成され、第１のパネル構成部品２１１は対向面５１Ａの取付具の近傍に一端側から他端側にかけて厚み寸法が大きくなるテーパ面５１Ｂとされたから、取付具により両部品を接合することで、第２のパネル構成部品２１２と第１のパネル構成部品２１１との対向面５１Ａ，６１Ａが他端側から一端側にかけて近接することになり、第２のパネル構成部品２１２は、その壁部２１２Ｂが第１のパネル構成部品２１１の壁部２１１Ｂとの間の隙間が小さくなる方向に常に付勢されながら第１のパネル構成部品２１１に固定される。そのため、第１のパネル構成部品２１１や第２のパネル構成部品２１２に製造誤差があっても、両部品の壁部２１１Ｂ，２１２Ｂの間に隙間がなくなるので、電子機器の外観を良好なものにすることができる。
【００２６】
（７）取付具をボルト９としたので、第１のパネル構成部品２１１と第２のパネル構成部品２１２とを接合する際に、ボルト９をねじ込むだけでよいので、接合作業を容易にできる。
【００２７】
（８）第１のパネル構成部品２１２に折返部５１Ｃが形成され、この折返部５１Ｃは、平面状の対向面６１Ａと略平行に形成されたガイド面５１Ｄと、このガイド面５１Ｄと連続して形成された第１係止部５１Ｅとが形成された先端部５１Ｆを備えている。そして、第２のパネル構成部品２１２は、ガイド面５１Ｄと平行なガイド面と第１係止部５１Ｅと係合される第２係止部６４Ａとが形成された突起部６４を備え、第１係止部５１Ｅと第２係止部６４Ａとを凹凸嵌合させた。そのため、第１のパネル構成部品２１２に対して第２のパネル構成部品２１２をガイド面５１Ｄと平行な面内で押し込むことで、第１係止部５１Ｅと第２係止部６４Ａとが嵌合されることになるので、両部品の係合を容易に行うことができる。
【００２８】
（９）第１のパネル構成部品２１１及び第２のパネル構成部品２１２の第２取付部５２，６２同士を凹凸嵌合させる構成であるので、第１のパネル構成部品２１２に対して第２のパネル構成部品２１２をガイド面５１Ｄと平行な面内で押し込むことで、第２取付部５２，６２同士が凹凸嵌合されることになるので、この点からも両部品の係合を容易に行うことができる。
【００２９】
（１０）第１のパネル構成部品２１１の第１取付部５１と第２取付部５２との間にはガイド用突起５３が設けられ、第２のパネル構成部品２１２の第１取付部６１と第２取付部６２との間にはガイド用突起５３が案内されるガイド溝６３が形成されているから、第１のパネル構成部品２１２に対して第２のパネル構成部品２１２を押し込む際に、ガイド溝６３とガイド用突起５３とで位置決めをすることができる。そのため、第１のパネル構成部品２１１と第２のパネル構成部品２１２との円滑な組立を行うことができる。
【００３０】
〔実施の形態の変形〕
なお、本発明の電子機器は前述の実施形態にのみ限定されるものではなく、本発明の要旨を逸脱しない範囲内において種々変更を加え得ることは勿論である。
例えば、前記実施形態では、カバー２２にはパネル本体２１の窓部７に向けて突出する突起部２２１Ｆが設けられているが、本発明では、突起部２２１Ｆは必ずしも設けることを要しない。仮に、設ける場合であっても、パネル本体２１に設けるものであってもよい。さらに、窓部７は長手方向が端子配列方向に沿った略長円状に形成されたが、このような端子の配列状態であっても、窓部７を円形や矩形状とするものでもよい。
【００３１】
さらに、パネル本体２１を第１のパネル構成部品２１１と第２のパネル構成部品２１２とから構成したが、本発明では、パネル本体２１を１つの部品から構成してもよく、あるいは、３個以上の部品から構成してもよい。
【００３２】
［実施形態の作用効果］
本実施形態の電子機器は、端子３Ａ〜３Ｅが突出して設けられた機器本体１に対してパネル２が設けられ、このパネル２は端子３Ａから３Ｅを挿通する挿通孔２２１Ａ〜２２１Ｅが形成され、機器本体１と係止されるカバー２２と、このカバー２２の周縁部を覆うとともに端子３Ａ〜３Ｅを露出させる窓部７が形成されたパネル本体２１とに分割して構成されたから、パネル２を機器本体１に取り付けるにあたり、まず、機器本体１の端子３Ａ〜３Ｅの近傍を小型化薄型化が可能なカバー２２で直接位置決めして覆い、その後、このカバー２２を含めて機器本体１の全体をパネル本体２１で覆うようにしたので、端子３Ａ〜３Ｅを挿通孔２２１Ａ〜２２１Ｅに挿通させるためにパネル全体を位置決めする従来に比べて、その取付作業を容易に行うことができる。その上、カバー２２と機器本体１との位置決めを容易に行えるから、端子３Ａ〜３Ｅと孔部２２１Ａ〜２２１Ｅとの隙間を小さくすることができるので、この隙間から機器本体１が露出することが少ないので、電子機器の外観を良好なものにできる。
【図面の簡単な説明】
【００３３】
【図１】本発明の一実施形態にかかる電子機器の要部を示す分解斜視図である。
【図２】機器本体とパネルとの取付構造の詳細を示すもので、（Ａ）は分解断面図、（Ｂ）は断面図である。
【図３】第１のパネル構成部品と第２のパネル構成部品とが接合された状態を示すもので、（Ａ）は斜視図、（Ｂ）は断面図である。
【図４】ボルトをねじ込んだ状態を示すもので図３（Ｂ）に対応する断面図である。
【図５】第１のパネル構成部品と第２のパネル構成部品とを接合する手順を説明するもので、図３に対応する図である。
【図６】第１のパネル構成部品と第２のパネル構成部品とを接合する手順を説明するもので、図３に対応する図である。
【符号の説明】
【００３４】
１…機器本体
２…パネル
３Ａ〜３Ｅ…端子
７…窓部
９…ボルト（取付具）
１２…箱部材
１２Ａ…開口部
１２Ｂ…係止窓
２１…パネル本体
２２…カバー
５１Ａ…対向面
６１Ａ…対向面
５１Ｂ…テーパ面
５１Ｃ…折返部
５１Ｄ…ガイド面
５１Ｆ…先端部
５３…ガイド用突起
６１Ａ…対向面
２１１…第１のパネル構成部品（第１部品）
２１１Ｂ…壁部
２１１Ｅ…筒状部
２１２…第２のパネル構成部品（第２部品）
２１２Ｂ…壁部
２２１…カバー本体
２２１Ａ〜２２１Ｅ…挿通孔
２２１Ｆ…位置決め用突起
２２２…係止片
２２２Ａ…係止用爪
【図１】
2006120704.tif 000003
【図２】
2006120704.tif 000004
【図３】
2006120704.tif 000005
【図４】
2006120704.tif 000006
【図５】
2006120704.tif 000007
【図６】
2006120704.tif 000008